(57)【要約】【課題】  リフロー半田時に熱が加えられても、バネ圧が変化しにくく、個々の回転型電気部品のクリック感触や操作トルク等のバラツキが少ない回転型電気部品を提供する。【解決手段】  回転操作される回転軸２と、回転軸２を回転可能に保持するハウジング１と、回転軸２の回転を検出する摺動子１４及び導電パターン６、７からなる回転検出手段と、ハウジング４内に設けられた収容部を構成する収容凹部４ｃと、回転軸２と共に回転可能に設けられ回転軸２の軸線方向に撓み可能であると共に、収容凹部４ｃ内に露出し、回転軸２の軸線方向と交差する壁部４ｆ側に弾性力が付勢されるように配設された板ばね３とを備え、板ばね３は、平板状の金属板で形成され、収容凹部４ｃ内に組み込まれた状態において、回転軸２の軸線方向と直交する平面に沿って平板状に配置されている構成とした。【選択図】        図２
2007123459.tif 000002
【特許請求の範囲】
【請求項１】
回転操作される回転軸と、この回転軸を回転可能に保持するハウジングと、前記回転軸の回転を検出する摺動子及び導電パターンからなる回転検出手段と、前記ハウジング内に設けられた収容部と、前記回転軸と共に回転可能に設けられ前記回転軸の軸線方向に撓み可能であると共に、前記収容部内に露出し、前記回転軸の軸線方向と交差する壁部側に弾性力が付勢されるように配設された板ばねとを備え、前記板ばねは、平板状の金属板で形成され、前記収容部内に組み込まれた状態において、前記回転軸の軸線方向と直交する平面に沿って平板状に配置されていることを特徴とする回転型電気部品。
【請求項２】
前記壁部と前記板ばねとの間には、前記回転軸と共に回転可能に設けられたクリック板が配置され、このクリック板には、前記板ばねと対向する一面側に突出する突起が設けられ、前記板ばねには該突起と当接して前記クリック板を前記壁部側に弾性付勢する弾性腕が設けられていることを特徴とする請求項１記載の回転型電気部品。
【請求項３】
前記クリック板の前記突起は、前記回転軸の回転中心を挟んで径方向の対向する位置に２個設けられ、これら２個の突起に対応して、前記弾性腕が前記板ばねに２個設けられていることを特徴とする請求項２記載の回転型電気部品。
【請求項４】
前記クリック板の他面側には突部からなる係合部が設けられると共に、前記壁部には前記係合部と係脱してクリック感触を生起するクリック用凸部が設けられ、前記回転軸が回転され前記係合部と前記クリック用凸部とが係合する際には、前記板ばねの前記弾性腕が前記クリック板の前記突起により押圧され、前記弾性腕が前記クリック板とは反対側に撓み可能としたことを特徴とする請求項２、又は３記載の回転型電気部品。
【請求項５】
前記クリック板及び壁部には前記係合部及びクリック用凸部が複数設けられており、前記回転軸が回転する際には、複数の前記係合部及びクリック用凸部が同時に係脱することを特徴とする請求項４記載の回転型電気部品。
【請求項６】
複数の前記係合部及びクリック用凸部が、前記回転軸の回転中心から径の異なる位置に設けられていることを特徴とする請求項５記載の回転型電気部品。
【発明の詳細な説明】
【技術分野】
【０００１】
本発明は、各種電子機器に用いられる回転操作時にクリック感触を伴った回転型電気部品の構造に関する。
【背景技術】
【０００２】
従来の回転型電気部品の構造としては、操作軸５３を回転操作することにより、回転体２３が回転させられて、その後部の可変抵抗器部の抵抗値が変化すると共に、回転体２３の前面のクリック板２４の放射状凹凸部２５をバネ体２２の弾接突部２２Ａが弾接摺動してクリック感を生じさせるようにした構成のものが知られている（例えば、特許文献１参照）。
【０００３】
この従来の回転型電気部品である回転型可変抵抗器の構造を図１９に示す。図１９は従来の回転型可変抵抗器を示す断面図である。
【０００４】
図において、従来の回転型可変抵抗器は、２１は亜鉛ダイカスト等により形成された箱形ケース、２２はバネ体、２３は回転操作軸５３と共回りするようにかしめられた回転体であり、バネ体２２は先端に弾接突部２２Ａ，２２Ｂを有した二つのＣ形弾性アーム部２２Ｃ，２２Ｄを支持部２２Ｅを中心に配してあり、支持部２２Ｅはケース２１の前面壁２１Ａ後面の凹部２１Ｂにはめこまれ、バネの撓み方向Ｅ，Ｆには揺動可能に保持されている。
【０００５】
一方、ケース２１の前面壁２１Ａ中心部の円筒状軸受部５２に回転可能に保持された回転操作軸５３の延長部５３Ａには回転体２３が固定されており、その前面のクリック板２４には、一定のピッチの連続した放射状凹凸部２５と高低差のある平滑な摺動面２６が形成されており、前記バネ体２２の弾接突部２２Ａ，２２Ｂはそれぞれ放射状凹凸部２５及び摺動面２６に弾接摺動するように構成されている。
【０００６】
以上のように構成される回転操作型可変抵抗器の操作軸５３を回転操作することにより、回転体２３が回転させられて、その後部の可変抵抗器部の抵抗値が変化すると共に、回転体２３の前面のクリック板２４の放射状凹凸部２５をバネ体２２の弾接突部２２Ａが弾接摺動してクリック感を生じさせるものとなっている。
【０００７】
この場合、バネ体２２の一方の弾接突部２２Ｂが、高低差のある平滑な摺動面２６を弾接摺動することにより均衡状態が保たれているが、弾接突部２２Ｂのバネ撓み量を増してバネ押圧力を強くすることにより、他方の弾接突部２２Ａのバネ押圧力を増すことができるものとなっている。
【０００８】
【特許文献１】特許第３４５８５５０号公報
【発明の開示】
【発明が解決しようとする課題】
【０００９】
しかしながら、従来の回転型電気部品においては、回転型電気部品をプリント基板に取り付けるために、リフロー半田して高温の熱が加えられると、大きく曲げ加工が施されている金属板からなるバネ体の応力緩和が起こり、バネ圧が変化し、個々の回転型電気部品のクリック感触や操作トルク等にバラツキが生じてしまうという問題があった。
【００１０】
従って、本発明は上記した問題点を解決し、リフロー半田時に熱が加えられても、バネ圧が変化しにくく、個々の回転型電気部品のクリック感触や操作トルク等のバラツキが少ない回転型電気部品を提供することを目的とする。
【課題を解決するための手段】
【００１１】
上記課題を解決するために本発明では第１の解決手段として、回転操作される回転軸と、この回転軸を回転可能に保持するハウジングと、前記回転軸の回転を検出する摺動子及び導電パターンからなる回転検出手段と、前記ハウジング内に設けられた収容部と、前記回転軸と共に回転可能に設けられ前記回転軸の軸線方向に撓み可能であると共に、前記収容部内に露出し、前記回転軸の軸線方向と交差する壁部側に弾性力が付勢されるように配設された板ばねとを備え、前記板ばねは、平板状の金属板で形成され、前記収容部内に組み込まれた状態において、前記回転軸の軸線方向と直交する平面に沿って平板状に配置されている構成とした。
【００１２】
また、第２の解決手段として、前記壁部と前記板ばねとの間には、前記回転軸と共に回転可能に設けられたクリック板が配置され、このクリック板には、前記板ばねと対向する一面側に突出する突起が設けられ、前記板ばねには該突起と当接して前記クリック板を前記壁部側に弾性付勢する弾性腕が設けられている構成とした。
また、第３の解決手段として、前記クリック板の前記突起は、前記回転軸の回転中心を挟んで径方向の対向する位置に２個設けられ、これら２個の突起に対応して、前記弾性腕が前記板ばねに２個設けられている構成とした。
また、第４の解決手段として、前記クリック板の他面側には突部からなる係合部が設けられると共に、前記壁部には前記係合部と係脱してクリック感触を生起するクリック用凸部が設けられ、前記回転軸が回転され前記係合部と前記クリック用凸部とが係合する際には、前記板ばねの前記弾性腕が前記クリック板の前記突起により押圧され、前記弾性腕が前記クリック板とは反対側に撓み可能とした構成とした。
また、第５の解決手段として、前記クリック板及び壁部には前記係合部及びクリック用凸部が複数設けられており、前記回転軸が回転する際には、複数の前記係合部及びクリック用凸部が同時に係脱する構成とした。
また、第６の解決手段として、複数の前記係合部及びクリック用凸部が、前記回転軸の回転中心から径の異なる位置に設けられている構成とした。
【発明の効果】
【００１３】
上述したように、本発明の回転型電気部品は、回転操作される回転軸と、回転軸を回転可能に保持するハウジングと、回転軸の回転を検出する摺動子及び導電パターンからなる回転検出手段と、ハウジング内に設けられた収容部と、回転軸と共に回転可能に設けられ回転軸の軸線方向に撓み可能であると共に、収容部内に露出し、回転軸の軸線方向と交差する壁部側に弾性力が付勢されるように配設された板ばねとを備え、板ばねは、平板状の金属板で形成され、収容部内に組み込まれた状態において、回転軸の軸線方向と直交する平面に沿って平板状に配置されていることから、組み込む前の板ばねに大きな曲げを施す必要がないため、組み込み後にリフロー半田する際に、熱が加えられても、板ばねのバネ力が大きく変化せず、回転型電気部品のクリック感触や操作トルク等のバラツキを少ないものとすることができる。
【００１４】
また、壁部と板ばねとの間には、回転軸と共に回転可能に設けられたクリック板が配置され、クリック板には、板ばねと対向する一面側に突出する突起が設けられ、板ばねには該突起と当接してクリック板を壁部側に弾性付勢する弾性腕が設けられていることから、板ばねによる弾性付勢力をクリック板に確実に伝達することができる。
また、クリック板の突起は、回転軸の回転中心を挟んで径方向の対向する位置に２個設けられ、これら２個の突起に対応して、弾性腕が板ばねに２個設けられていることから、板ばねが回転軸の回転中心を挟んで径方向のどちらか一方向へ傾いてしまうことがないので、クリック板を安定して弾性付勢することができる。
また、クリック板の他面側には突部からなる係合部が設けられると共に、壁部には係合部と係脱してクリック感触を生起するクリック用凸部が設けられ、回転軸が回転され係合部とクリック用凸部とが係合する際には、板ばねの弾性腕がクリック板の突起により押圧され、弾性腕がクリック板とは反対側に撓み可能としたことから、板ばねは回転軸が回転されない初期状態では大きな曲げを要しない平板状に配置されているので、熱により感触が損なわれることのないクリック機構を得ることができる。
また、クリック板及び壁部には係合部及びクリック用凸部が複数設けられており、回転軸が回転する際には、複数の係合部及びクリック用凸部が同時に係脱することから、簡単な構造で容易にクリック感触を重く（重厚）することができる。
また、複数の係合部及びクリック用凸部が、回転軸の回転中心から径の異なる位置に設けられていることから、クリック感触を重くしても１８０度以上の回転角度のものにも対応することができる。
【発明を実施するための最良の形態】
【００１５】
以下、本発明の実施の形態を図１乃至図１８に示す。図１は本発明の第１の実施例に係る回転型電気部品としてのスイッチ付き可変抵抗器を示す分解斜視図、図２は本発明の第１の実施例に係るスイッチ付き可変抵抗器を示す概略断面図、図３は図２の３−３線における断面図、図４は図２の４−４線における断面図、図５は本発明の第１の実施例に係るスイッチ付き可変抵抗器の回転軸と板ばねを示す正面図、図６は図５に示す回転軸の右側面図、図７は図５の左側面図、図８は図５の回転軸と板ばねを他の方向から見た部分説明図、図９は板ばねの載置部側から見た回転軸を示す斜視図、図１０は板ばねの弾性腕とクリック板の突出部との配置状態を示す分解斜視図、図１１は板ばねを示し（ａ）は平面図（ｂ）は側面図、図１２はクリック板を示し（ａ）は平面図（ｂ）は底面図、図１３は本発明の第１の実施例に係るスイッチ付き可変抵抗器の保持部材を示す右側面図、図１４は本発明の第１の実施例に係るスイッチ付き可変抵抗器のクリック機構を示す説明図、図１５は本発明の第１の実施例に係るスイッチ付き可変抵抗器の保持部材を示す左側面図、
図１６は本発明の第１の実施例に係るスイッチ付き可変抵抗器の接点基板を示す右側面図、図１７は本発明の第１の実施例に係るスイッチ付き可変抵抗器の摺動子受けと第１、第２の摺動子を示す正面図、図１８は図１７の右側面図である。
【００１６】
図において、本発明の回転型電気部品の一例としてのスイッチ付き可変抵抗器は、軸受け１に回転可能に保持された回転軸２の軸廻りに、クリック部と、可変抵抗器部と、スイッチ部が連設されて構成されており、スイッチ部によって、例えば、電源のオン／オフ切換えが行われ、スイッチ部が、例えば、オン状態の時、可変抵抗器部によって設定抵抗値の調整が行われ、さらに、クリック部によって操作時のクリック感触を生起するようになっている。
【００１７】
図１、図２に示すように、軸受け１は、合成樹脂等の絶縁材、あるいは亜鉛ダイキャスト等で形成されており、ハウジングの一部を構成し、中央に貫通孔が設けられた筒状部１ａを有し、この筒状部１ａに回転軸２が回転可能に保持されている。また、筒状部１ａの後端側には、略円形状の凹部１ｂが設けられており、この凹部１ｂに後述する回転軸２の基盤部２ｃが回転可能に収容されている。また、前記凹部１ｂの内周面の一端（本実施例では下端）には凹部１ｂ内に突出したストッパー部１ｃが形成されている。このストッパー部１ｃは、根元部側の基部から先端側（回転軸２側）に拡開した略扇状に形成されている（図４参照）。
【００１８】
また、図５〜図９に示すように、回転軸２は、アルミニウム、あるいは合成樹脂等からなり、前記筒状部１ａに保持される円柱状の軸部２ａと、この軸部２ａの先端に設けられた断面Ｄ字状の操作部２ｂと、軸部２ａの後端に設けられ前記軸受け１の凹部１ｂに収容される鍔状の基盤部２ｃと、この基盤部２ｃの後方に延出する断面が非円形状（本実施例では略矩形状）をした台座部２ｄと、この台座部２ｄよりもやや細長い角柱状からなる断面が非円形状の駆動部２ｅとを有している。
【００１９】
また、前記基盤部２ｃには、外周部の一端から軸部２ａの軸線方向と直交する方向（径方向）へ突出するストッパー部２ｆが設けられている。また、このストッパー部２ｆも前記軸受け１の凹部１ｂに形成されたストッパー部１ｃと同様に、根元部側（内周側）の基部から先端側（外周側）に拡開した略扇状に形成されている（図４、図６参照）。また、基盤部２ｃの一面側には、後述する板ばね３を載置する突状の段部からなる取付面２ｇが設けられている。
【００２０】
そして、図示はしないが、前記回転軸２が所定の角度回転した時に、前記ストッパー部２ｆが前記軸受け１の凹部１ｂに形成された前記ストッパー部１ｃと当接してそれ以上の回転を規制するものとなっている。この時、前記ストッパー部１ｃ、２ｆは、先端側の拡開部が互いの基部側に食い込む形となり、これらの当接面が前記回転軸２の径方向の中心線に対して互いに角度を持って係合（当接）するようになっている。
【００２１】
このように、前記ストッパー部１ｃ及び２ｆの突部形状を、基部から先端側に拡開する略扇状に形成して、これらの当接面を、前記回転軸２の径方向の中心線に対して互いに角度を持って係合させるようにしてあるので、前記ストッパー部１ｃ及び２ｆ同士が、角度を持って互いに食い込むようになり、ストッパーが外れにくくなるので、確実にストッパーを機能させることができ、小型化が可能な構造となっている。
【００２２】
また、図５、図７、図８に示すように、前記回転軸２の台座部２ｄの外側（外周）には、クリック部材の一部を構成する板ばね３が配置されている。この板ばね３は、図１１（ａ）、（ｂ）に示すように、弾性を有する平板状の金属板からなり、二重の略円環状をしており、中央に前記台座部２ｄに挿通される非円形状をした角孔３ａが設けられている。また、この角孔３ａの周縁部には環状の第１環状部３ｂが設けられ、この第１環状部３ｂの外周部に一対のスリット３ｃ、３ｃを介して対向する位置に一対の円弧状からなる弾性腕３ｄ、３ｄが設けられている。
この弾性腕３ｄは、両持ち状態で形成されており、その根元部は第１環状部３ｂに連結されたものとなっている。尚、一対の弾性腕３ｄ、３ｄは中心線に対して線対称に形成されており、これにより、板ばね３を１８０度回転させても回転軸２の台座部２ｄに取付け可能となっている。
【００２３】
また、前記第１環状部３ｂは平面状に形成されており、これに対して前記弾性腕３ｄは、前記スリット３ｃを介してその中央部が、若干曲げ起こされて湾曲された状態に形成されている。そして、前記板ばね３の角孔３ａが前記台座部２ｄに挿通されて取付けられる時には、前記第１環状部３ｂが基盤部２ｃの一面側に形成された前記取付面２ｇに載置されて位置決めされるものとなる。この時、前記弾性腕３ｄの中央部は、前記基盤部２ｃの後方に延出する台座部２ｄの延出方向へ向かってわずかに湾曲した状態で載置されている。
【００２４】
また、図２に示すように、前記回転軸２の基盤部２ｃの台座部２ｄには、板ばね３の後方に重なるようにクリック部材の一部を構成するクリック板１７が配設されている。このクリック板１７は、図１２（ａ）、（ｂ）に示すように、略円板状をしており、合成樹脂等の絶縁材で形成されている。このクリック板１７の中央には、前記台座部２ｄに挿通される非円形状をした角孔１７ａが設けられており、この角孔１７ａを挟んで対向する一面側の外周縁近傍には、一対（２個）の突起１７ｂ、１７ｂが設けられている。この一対の突起１７ｂ、１７ｂは、回転軸２の回転中心を挟んで径方向の対向する位置（等距離となる位置）に設けられている。
【００２５】
また、前記クリック板１７の前記突起１７ｂが設けられた面の反対側である他面側には、前記一対の突起１７ｂ、１７ｂを結ぶ中心線と同一中心線上に位置して、前記角孔１７ａを挟んで一対の突出した係合部１７ｃ、１７ｄが設けられている。このうち一方の係合部１７ｃは、反対側の一面に設けられた前記突起１７ｂに対応する外周縁近傍に設けられており、他方の係合部１７ｄは該係合部１７ｃよりも前記角孔１７ａ寄りにずらして設けられている。すなわち、一対の前記係合部１７ｃ、１７ｄは、各々前記回転軸２の回転中心から径方向の異なる位置に設けられている。
【００２６】
前記クリック板１７が前記板ばね３と共に前記回転軸２の台座部２ｄに挿通されて回転軸２の軸線方向に移動可能に保持されており、両者でクリック部材を構成するものとなっている。この時、図１０に示すように、板ばね３の一対の弾性腕３ｄ、３ｄの中央部が、クリック板１７の一面側に形成された一対の突起１７ｂ、１７ｂと対向して配置され、弾性腕３ｄによって突起１７ｂが後方側（後述する保持部材４の壁部４ｆ側）に弾性付勢された状態で、板ばね３とクリック板１７が後述するハウジングの一部を構成する保持部材４に組み込まれるものとなっている。
【００２７】
このように、前記クリック板１７には、前記板ばね３と対向する一面側に突出する前記突起１７ｂが設けられ、前記板ばね３には該突起１７ｂと当接して前記クリック板１７を弾性付勢する弾性腕３ｄが設けられているので、板ばね３による弾性付勢力をクリック板１７に確実に伝達することができるものとなっている。また、前記クリック板１７の前記突起１７ｂは、前記回転軸２の回転中心を挟んで径方向の対向する位置に２個設けられており、これら２個の突起１７ｂ、１７ｂに対応して、前記弾性腕３ｄが前記板ばね３に２個設けられているので、前記板ばね３が前記回転軸２の回転中心を挟んで径方向のどちらか一方向へ傾いてしまうことがないので、前記クリック板１７を安定して弾性付勢することができるものとなっている。
【００２８】
尚、この場合に、クリック部材である前記板ばね３と前記クリック板１７は、ハウジングの保持部材４に組み込まれた際には、前記板ばね３の弾性腕３ｄが前記クリック板１７の突起１７ｂによって少し押し戻された状態となり、板ばね３は全体が平面状（平坦状）をした状態で配置されるものとなっている。すなわち、図２に示すように、前記板ばね３は、保持部材４に組み込まれた初期状態（係合部１７ｃ、１７ｄが後述するクリック用凸部４ｄ、４ｅと係合しない状態）においては、前記回転軸２の軸線方向と直交する平面に沿って平板状（平面状）に配置されるものとなっている。
また、この場合、弾性腕３ｄの後ろ側（図２の右側）には、弾性腕３ｄが突起１７ｂにより押圧された際に、弾性変位可能な空域Ｓが回転軸２の基盤部２ｃと台座部２ｄとの間に設けられている（図２参照）。この空域Ｓは、板ばね３の基部（保持部）である第１環状部３ｂが載置される取付面２ｇを回転軸２（基盤部２ｃ）の一面側に突出させて設けたことにより形成されるものである。なお、取付面２ｇは、板ばね３の弾性腕３ｄよりも径の小さな略円環状をなしている。
【００２９】
そして、前記回転軸２が回転操作された際に、前記台座部２ｄに挿通された板ばね３及びクリック板１７が回転軸２と共に回転して、該クリック板１７の他面側に形成された係合部１７ｃ、１７ｄが、後述する保持部材４に設けられたクリック用凸部４ｄ、４ｅと係脱することによりクリック板１７が軸線方向に移動し、この移動により突起１７ｂが板ばね３の弾性腕３ｄを押圧することにより板ばね３の弾性腕３ｄが撓み、この時の弾性付勢力によって回転軸２が回転された際のクリック感触を生起させるものとなっている。尚、この場合、前記係合部１７ｃとクリック用凸部４ｄ、及び前記係合部１７ｄとクリック用凸部４ｅとが各々同時に係脱するようになっている。
【００３０】
このように、前記回転軸２が回転され前記係合部１７ｃ、１７ｄとクリック用凸部４ｄ、４ｅとが係合する際には、前記板ばね３の前記弾性腕３ｄは前記クリック板１７の前記突起１７ｂにより押圧されることになる。この時、前記弾性腕３ｄが前記クリック板１７とは反対側に撓み可能となっていることから、前記回転軸２が回転されていない初期状態や係合部１７ｃ、１７ｄとクリック用凸部４ｄ、４ｅとが係合していない通常状態では前記板ばね３は大きな曲げを要しない平板状（平面状）に配置されているので、熱により感触が損なわれることのないクリック機構を得ることができるものとなっている。
【００３１】
また、前記軸受け１の後端には、ハウジングの一部を構成する、合成樹脂等の絶縁材から略矩形状に形成された保持部材４が係合されている。この保持部材４は、中央に前記回転軸２の駆動部２ｅが挿通される挿通孔４ａを有し、この挿通孔４ａを挟んで一面側とこれと対向して反対側に位置するする他面側にはそれぞれ断面円形状の収容部を構成する収容凹部４ｂ、４ｃが設けられている。
【００３２】
また、前記保持部材４の中央部には、フェノール樹脂やエポキシ樹脂等の絶縁性の樹脂材からなる平板状の抵抗基板５がインサート成形等の方法で一体的に埋設されており、この保持部材４の一面側（本実施例では後方側）である前記収容凹部４ｂ内には、図１５に示すように、前記抵抗基板５に印刷形成されたカーボン等の導電性ペーストからなる抵抗体パターン６や、銀ペーストからなる導電体パターン７が露出して配設されている。また、前記保持部材４の下端側には、前記導電体パターン７及び前記抵抗体パターン６に接続され、前記抵抗基板５から導出された導電性の金属板からなる接続端子８及び９が突出して設けられている。
【００３３】
また、前記保持部材４の前記収容凹部４ｂと対向する他面側（本実施例では前方側）の前記収容凹部４ｃの内底面は、該収容凹部４ｃと前記軸受け１の凹部１ｂにより形成される収容部内に露出する壁部４ｆとなっている。この壁部４ｆは、前記回転軸２の軸線方向と直交する状態で前記保持部材４と一体に形成されている。前記壁部４ｆには、図１３、図１４に示すように、前記収容凹部４ｃの内底面である前記壁部４ｆの平坦面から突出して形成されたクリック用凸部４ｄ、４ｅが一体に形成されている。このうち一方のクリック用凸部４ｄは、収容凹部４ｃの内周縁に隣設して設けられており、他方のクリック用凸部４ｅは該クリック用凸部４ｄよりも前記挿通孔４ａ寄りにずらして設けられている。すなわち、一対の前記クリック用凸部４ｄ、４ｅは、各々前記回転軸２の回転中心から径方向の異なる位置に設けられている。
【００３４】
このクリック用凸部４ｄ、４ｅは、前記回転軸２の台座部２ｄに取り付けられた、前記クリック板１７の他面側に設けられた一対の係合部１７ｃ、１７ｄと係脱して、前記回転軸２が回転された際のクリック感触を生起させるものとなっている。尚、この場合、前記係合部１７ｃとクリック用凸部４ｄ、及び前記係合部１７ｄとクリック用凸部４ｅとが各々同時に係脱するようになっている。
【００３５】
このように、前記クリック板１７の係合部１７ｃ、１７ｄ及びこれと係脱するクリック用凸部４ｄ、４ｅを各々２個設け、回転軸２の回転時に、各々２個の前記係合部１７ｃ、１７ｄとクリック用凸部４ｄ、４ｅとが同時に係脱するようにしたことから、板ばね３の一対の弾性腕３ｄを同じタイミングで撓ませることができるので、前記板ばね３を厚くすることなく、クリック感触を重く（重厚に）することができるものとなっている。
【００３６】
また、前記係合部１７ｃ、１７ｄ及びクリック用凸部４ｄ、４ｅを、各々前記回転軸２の回転中心から径方向の異なる位置に設けたことから、前記回転軸２が半回転（１８０度）した時には、前記係合部１７ｃとクリック用凸部４ｅ、及び前記係合部１７ｄとクリック用凸部４ｄとが径方向の異なる位置に位置することになり、回転軸２が一回転する間に互いにぶつからないので、１８０度以上の回転角度のものにも対応が可能となっている。
尚、係合部１７ｃ、１７ｄ及びクリック用凸部４ｄ、４ｅは、それぞれ合成樹脂からなるクリック板１７及び保持部材４に成形加工により一体に形成されていることから、これら係合部１７ｃ、１７ｄ及びクリック用凸部４ｄ、４ｅの位置は、成型金型により精度良く定められている。したがって、回転軸２が回転された際、係合部１７ｃとクリック用凸部４ｄとが係脱するタイミングと、係合部１７ｄとクリック用凸部４ｅとが係脱するタイミングとを合わせることができ、違和感のない重いクリック感触を得ることができる。
【００３７】
また、前記抵抗基板５がインサート成形された前記保持部材４の一面側に前記抵抗体パターン６を露出させると共に、これとは対向する他面側に前記クリック用凸部４ｄ、４ｅを一体に形成するようにしたので、前記抵抗基板５と前記クリック用凸部４ｄ、４ｅとが同一部材に設けられているため、クリック感触を得るタイミングと抵抗値を変化させるタイミングの同期を取ることができ、高品質の回転型電気部品（スイッチ付き可変抵抗器）が得られるものとなっている。
【００３８】
また、この場合、前記クリック用凸部４ｄ、４ｅは、後述するロータリースイッチの接点基板１０に設けられた、固定接点１１の円弧状の接点パターン１１ａの起端部位置に対応して設けられており、前記クリック板１７の係合部１７ｃ、１７ｄが、該クリック用凸部４ｄ、４ｅを乗り越えてクリック感触が生起された際に、ロータリースイッチの第２の摺動子１５が接点パターン１１ａと導通してスイッチがオン状態となるように設定されている。この場合のクリック機構を図１４に示している。
【００３９】
また、本実施例では、前記クリック用凸部４ｄ、４ｅは左右の傾斜が同じ形状となっており、前記クリック板１７の係合部１７ｃ、１７ｄがこれを乗り越える場合には、行きと帰りで同じ感触が得られるようになっている。尚、図示はしていないが、前記保持部材４の前記収容凹部４ｃに、ロータリースイッチのオン／オフ用の前記クリック用凸部４ｄ、４ｅに続いて、Ｖ溝状のカム溝を連続して複数形成することにより、ロータリースイッチがオン後の可変抵抗器の回転時にも、適宜、クリック感触を生起させることができる。
【００４０】
また、前記保持部材４の後端には、ハウジングの一部を構成する、合成樹脂等の絶縁材から略矩形状に形成された接点基板１０が係合されている。この接点基板１０は、中央に前記回転軸２の駆動部２ｅが挿通される挿通孔１０ａを有し、この挿通孔１０ａの一面側には円形状の収容凹部１０ｂが設けられている。
【００４１】
また、前記接点基板１０の中央部には、導電性の金属板からなる固定接点１１がインサート成形等の方法で一体的に埋設されており、この接点基板１０の前記収容凹部１０ｂ内には、図１６に示すように、下方が開口した円弧状の接点パターン１１ａ、及び連続した円環状のコモンパターン１１ｂが露出して配設されている。また、前記接点基板１０の下端側には、前記接点パターン１１ａ及び前記コモンパターン１１ｂから導出された接続端子１２ａ及び１２ｂが突出して設けられている。
【００４２】
図１７及び図１８は、第１の摺動子１４、及び第２の摺動子１５がそれぞれ対向する面に取り付けられた摺動子受け１３を示している。この摺動子受け１３は、合成樹脂等の絶縁材からなり、中央に前記回転軸２の駆動部２ｅが挿通されて該回転軸２と一体的に回転可能に嵌合する断面が前記駆動部２ｅと同じ非円形状をした略矩形状の嵌合孔１３ａを有する軸部１３ｂと、この軸部１３ｂの中央に円盤状に設けられた円盤部１３ｃとを有している。また、この円盤部１３ｃの一面側と他面側に、第１の摺動子１４と第２の摺動子１５が設けられており、図２に示すように、前記抵抗基板５と前記接点基板１０とが、前記摺動子受け１３を介して対向して配設されるものとなっている。
【００４３】
前記第１、及び第２の摺動子１４、１５は、弾性を有する導電性の金属薄板から形成され、略円環状をしており、前記摺動子受け１３の円盤部１３ｃに固着される基部１４ａ、及び１５ａと、この基部１４ａ、及び１５ａからやや内径側に切り起こされた一対の第１接片１４ｂ、及び１５ｂと、その外径側に２重の円弧状に切り起こされた第２接片１４ｃ、及び１５ｃとを有している。そして、前記第１の摺動子１４と前記第２の摺動子１５とが、同一形状からなる共通部品で形成されている。
【００４４】
前記摺動子受け１３は、前記軸部１３ｂの嵌合孔１３ａが前記回転軸２の駆動部２ｅに嵌合されて、前記保持部材４の収容凹部４ｂと前記接点基板１０の収容凹部１０ｂとで形成される収容空間に回転可能に収容されている。そして、前記円盤部１３ｃの一面側に設けられた前記第１の摺動子１４の第１接片１４ｂが、前記保持部材４に埋設された前記抵抗基板５の導電体パターン７と摺接し、前記第１の摺動子１４の第２接片１４ｃが、前記抵抗基板５の抵抗体パターン６と摺接するものとなる。また、前記円盤部１３ｃの他面側に設けられた前記第２の摺動子１５の第１接片１５ｂが、前記接点基板１０に露出して設けられた前記コモンパターン１１ｂと摺接し、前記第２の摺動子１５の第２接片１５ｃが、前記接点基板１０の接点パターン１１ａと摺接するものとなっている。
【００４５】
尚、前記摺動子受け１３の軸部１３ｂの一端側（前方側）には、段差を設けることにより、円形状の小径部１３ｄが形成されており、この小径部１３ｄが前記保持部材４の挿通孔４ａに回転可能にガイドされており、これにより、摺動子受け１３の回転を安定したものとしている。
【００４６】
このように、前記第１の摺動子１４と前記第２の摺動子１５を、前記摺動子受け１３の一面側と他面側に設ける共に、前記抵抗基板５と前記接点基板１０とを、前記摺動子受け１３を介して対向して設けるようにしたので、前記第１と第２の摺動子１４、１５の摺動子受け１３を別途設けることなく共用できるため、小型化が可能となり、安価対応が図れるものとなる。また、前記第１の摺動子１４と第２の摺動子１５を、同一形状からなる共通部品で形成したので、部品の共用化が図れ、安価化が可能となっている。
【００４７】
また、前記接点基板１０の後端側には、ハウジングの一部を構成する矩形状の金属板等からなる取付板１６が複数の取付ピン１８により取り付けられている。前記取付ピン１８によって、前記取付板１６と前記軸受け１との間に、前記保持部材４及び前記接点基板１０が挟持されて保持されることにより、本発明の回転型電気部品のハウジングが構成されている。
【００４８】
本発明の回転型電気部品は、上記構成となっており、回転末端近傍に位置する前記回転軸２が一方向（例えば、時計方向）に回転操作されると、クリック部を構成する、回転軸２の台座部２ｄに取り付けられた前記クリック板１７の係合部１７ｃ、１７ｄと、前記保持部材４の収容凹部４ｃに設けられたクリック用凸部４ｄ、４ｅが係合し、クリック板１７の係合部１７ｃ、１７ｄがクリック用凸部４ｄ、４ｅを乗り越えることにより、スイッチオン時のクリック感触が得られるものとなる。そして、クリック感触が生起された際に、スイッチ部を構成する、前記接点基板１０に設けられた接点パターン１１ａ及びコモンパターン１１ｂが、前記摺動子受け１３に設けられた前記第２の摺動子１５と摺接し、該第２の摺動子１５を介して導通することによりスイッチ（ロータリースイッチ）がオン状態となる。
【００４９】
次に、前記回転軸２が、更に一方向に回転操作されると、可変抵抗器部を構成する、前記保持部材４に埋設された前記抵抗基板５の抵抗体パターン６及び導電体パターン７が、前記摺動子受け１３に設けられた前記第１の摺動子１４と摺接して、抵抗体パターン６の設定抵抗値が変動するようになっている。そして、回転軸２が所定の回転角度に達した時、前記回転軸２と前記軸受け１に設けられた前記ストッパー部２ｆと１ｃとが当接してそれ以上の回転が規制されるものとなる。
また、スイッチがオン状態の位置から、回転軸２が他方向（例えば、反時計回り方向）に回転操作されると、係合部１７ｃ、１７ｄがクリック用凸部４ｄ、４ｅを乗り越えることにより、クリック感触を伴ってスイッチがオフ状態（接点パターン１１ａとコモンパターン１１ｂとが非導通の状態）となる。この状態から、さらに回転軸２を他方向へ回転させようとすると、ストッパー部２ｆと１ｃとが当接し、回転軸２のそれ以上の回転が規制される。
【００５０】
本発明の上記実施例によれば、回転軸２を回転可能に保持するハウジング内に軸受け１の凹部１ｂと収容凹部４ｃとで形成される収容部を設け、この収容部を構成する前記収容凹部４ｃに、前記回転軸２と共に回転可能で、前記回転軸２が回転される際には前記回転軸２の軸線方向に撓み可能であると共に、前記収容凹部４ｃ（収容部）内に露出し、回転軸２の軸線方向と直交状態で交差する壁部４ｆ側に弾性力が付勢されるように板ばね３を配設して、この板ばね３を平板状の金属板で形成すると共に、該板ばね３が前記収容凹部４ｃ（収容部）内に組み込まれた状態（係合部１７ｃ、１７ｄとクリック用凸部４ｄ、４ｅとが係合していない状態）においては、前記回転軸２の軸線方向と直交する平面に沿って平板状（平坦状）に配置するようにしたので、組み込む前の前記板ばね３に大きな曲げを施す必要がないため、組み込み後にリフロー半田する際に、熱が加えられても、前記板ばね３のバネ力が大きく変化せず、回転型電気部品のクリック感触や操作トルク等のバラツキを少なくすることができるものとなっている。
尚、上記実施例においては、板ばね３の弾性力が、板ばね３の後方側に設けられた保持部材４の壁部４ｆに作用するもので説明したが、本発明はこれに限られず、板ばね３の弾性力が、板ばね３の前方側に設けた壁部に作用するようにしてもよい。具体的には、該壁部を軸受け１の後方面（凹部１ｂの内底面）に設け、この壁部にクリック板を介して、板ばねを対向配置させればよい。この場合、クリック板の前面側に係合部が形成され、軸受け１の後方面（壁部）にクリック用凸部が形成されたものとなる。
また、クリック板１７及び板ばね３が配設される収容部を構成する軸受け１の凹部１ｂ及び保持部材４の収容凹部４ｃは、いずれも凹部とする必要はなく、一方を凹部、他方を板状部（壁部）としてもよい。
【図面の簡単な説明】
【００５１】
【図１】本発明の実施例に係る回転型電気部品としてのスイッチ付き可変抵抗器を示す分解斜視図である。
【図２】本発明の実施例に係るスイッチ付き可変抵抗器を示す概略断面図である。
【図３】本発明の図２の３−３線における断面図である。
【図４】本発明の図２の４−４線における断面図である。
【図５】本発明の実施例に係るスイッチ付き可変抵抗器の回転軸と板ばねを示す正面図である。
【図６】本発明の図５に示す回転軸の右側面図である。
【図７】本発明の図５の左側面図である。
【図８】本発明の図５の回転軸と板ばねを他の方向から見た部分説明図である。
【図９】本発明の実施例に係る板ばねの載置部側から見た回転軸を示す斜視図である。
【図１０】本発明の実施例に係る板ばねの弾性腕とクリック板との突出部の配置状態を示す分解斜視図である。
【図１１】本発明の実施例に係る板ばねを示し（ａ）は平面図、（ｂ）は側面図である。
【図１２】本発明の実施例に係るクリック板を示し（ａ）は平面図、（ｂ）は底面図である。
【図１３】本発明の実施例に係るスイッチ付き可変抵抗器の保持部材を示す右側面図である。
【図１４】本発明の実施例に係るスイッチ付き可変抵抗器のクリック機構を示す説明図である。
【図１５】本発明の実施例に係るスイッチ付き可変抵抗器の保持部材を示す左側面図である。
【図１６】本発明の実施例に係るスイッチ付き可変抵抗器の接点基板を示す右側面図である。
【図１７】本発明の実施例に係るスイッチ付き可変抵抗器の摺動子受けと第１、第２の摺動子を示す正面図である。
【図１８】図１７の右側面図である。
【図１９】従来の回転型可変抵抗器を示す断面図である。
【符号の説明】
【００５２】
１：軸受け（ハウジング）
１ａ：筒状部
１ｂ：凹部（収容部）
１ｃ：ストッパー部
２：回転軸
２ａ：軸部
２ｂ：操作部
２ｃ：基盤部
２ｄ：台座部
２ｅ：駆動部
２ｆ：ストッパー部
２ｇ：取付面
３：板ばね
３ａ：角孔
３ｂ：第１環状部
３ｃ：スリット
３ｄ：弾性腕
４：保持部材（ハウジング）
４ａ：挿通孔
４ｂ：収容凹部
４ｃ：収容凹部（収容部）
４ｄ：クリック用凸部
４ｅ：クリック用凸部
４ｆ：壁部
５：抵抗基板
６：抵抗体パターン（導電パターン）
７：導電体パターン（導電パターン）
８：接続端子
９：接続端子
１０：接点基板（ハウジング）
１０ａ：挿通孔
１０ｂ：収容凹部
１１：固定接点
１１ａ：接点パターン
１１ｂ：コモンパターン
１２ａ：接続端子
１２ｂ：接続端子
１３：摺動子受け
１３ａ：嵌合孔
１３ｂ：軸部
１３ｃ：円盤部
１３ｄ：小径部
１４：第１の摺動子
１４ａ：基部
１４ｂ：第１接片
１４ｃ：第２接片
１５：第２の摺動子
１５ａ：基部
１５ｂ：第１接片
１５ｃ：第２接片
１６：取付板（ハウジング）
１７：クリック板
１７ａ：角孔
１７ｂ：突起
１７ｃ：係合部
１７ｄ：係合部
１８：取付ピン
【図１】
2007123459.tif 000003
【図２】
2007123459.tif 000004
【図３】
2007123459.tif 000005
【図４】
2007123459.tif 000006
【図５】
2007123459.tif 000007
【図６】
2007123459.tif 000008
【図７】
2007123459.tif 000009
【図８】
2007123459.tif 000010
【図９】
2007123459.tif 000011
【図１０】
2007123459.tif 000012
【図１１】
2007123459.tif 000013
【図１２】
2007123459.tif 000014
【図１３】
2007123459.tif 000015
【図１４】
2007123459.tif 000016
【図１５】
2007123459.tif 000017
【図１６】
2007123459.tif 000018
【図１７】
2007123459.tif 000019
【図１８】
2007123459.tif 000020
【図１９】
2007123459.tif 000021